(57)【要約】【課題】自動的にユーザが個別に好ましいと感じる輝度に自動調整されるパネルコンピュータを提供すること。【解決手段】常駐アプリケーションにより、データベースに表示画面の輝度変更操作履歴を記憶させておき、次に電源起動させると、表示画面の輝度をデータベースに記憶している上記の輝度変更操作履歴に従い自動変更させる。【選択図】図１
2010107805.tif 000002
【特許請求の範囲】
【請求項１】
電源起動すると常駐アプリケーションにより、
表示画面の輝度変更操作履歴を記憶させる処理を行ない、また、
表示画面の輝度を上記記憶している輝度変更操作履歴に従い自動変更させる処理を行う、
ようになっていることを特徴とする表示画面付きの電子装置。
【請求項２】
上記輝度操作履歴をリセットまたは更新可能である、請求項１に記載の装置。
【請求項３】
上記常駐アプリケーションは、
輝度調整が行われた使用環境の情報を関連付けて記憶させる処理を行い、
上記情報の入力操作により上記情報対応の輝度調整内容で表示画面の輝度を自動変更させる処理を行う、ことを特徴とする請求項１または２に記載の装置。
【発明の詳細な説明】
【技術分野】
【０００１】
本発明は、パネルコンピュータ等の表示画面付き電子装置にかかり、特には、その表示画面の輝度を制御することに関するものである。
【背景技術】
【０００２】
例えば、パネルコンピュータは、一般に、タッチパネルと、タッチパネル下部に配置される液晶表示画面と、この液晶表示画面を背部から照明するバックライトと、を備えており、タッチパネル操作することでキーボードやマウスが不要なコンピュータとして広く利用されている（特許文献１）。このようなパネルコンピュータにおいて、液晶表示画面は、使用環境の明るさにより、その見えやすさが変わる。使用環境が明るければ、低輝度では画面が暗くなるから輝度を高くする必要があり、使用環境が暗ければ、高輝度では画面が明るくなりすぎるため、輝度を低くする必要がある。そこで、液晶表示画面の輝度調整は、上記バックライトの輝度を当該パネルコンピュータに付属されている物理的な操作ボタン、または輝度変更ソフトウエアに対するユーザ操作を通じて調整することで行われる。あるいは、そのようなユーザによる手動操作ではなく、バックライト輝度を明るさ検出センサのセンサ入力信号により調整することで自動的に輝度調整することも行われる。
【０００３】
ところで、パネルコンピュータの設置ないし使用の環境は、例えば屋外、屋内、など様々である。また、パネルコンピュータの使用時刻、例えば日中、夜間などによって、同一輝度でも、表示画面が輝度不足であったり、その逆であったりする。また、同一の使用環境であっても、時間帯によっては輝度調整が必要となる場合がある。このようにパネルコンピュータでは、異なる使用環境はもちろんのこと、同一使用環境下であっても、使用時間帯の変化、等々により、画面の輝度調整が必要となる場合がある。
【０００４】
しかしながら、このような輝度調整を手動で行うことはユーザにとりわずらわしいし、また、手動ではなく、センサで自動で一律に輝度調整するとしても、センサで自動調整された輝度が、個別のユーザにとり最適とする輝度とは相違する場合がある。
【特許文献１】再表００／０７３８８９
【発明の開示】
【発明が解決しようとする課題】
【０００５】
本発明により解決すべき課題は、使用時刻、使用環境によって、ユーザが個別に好ましいと感じる輝度に変更操作した以降は、自動的にその輝度に自動調整される使用勝手に優れたパネルコンピュータを提供することである。
【課題を解決するための手段】
【０００６】
本発明による表示画面付き電子装置は、電源起動すると常駐アプリケーションにより、表示画面の輝度変更操作履歴を記憶させる処理を行ない、また、表示画面の輝度を上記記憶している輝度変更操作履歴に従い自動変更させる処理を行う、ようになっていることを特徴とするものである。
【０００７】
表示画面付き電子装置とはパネルコンピュータに限定されるものではなく、表示画面を備えた装置であれば含む。
【０００８】
表示画面は液晶表示などその表示形態に特に限定しない。
【０００９】
表示画面はタッチパネル付きであってもなくてもよい。
【００１０】
上記記憶が行われる形式は特に限定しない。例えば、データベース形式でもよい。
【００１１】
輝度変更操作履歴は、輝度変更の操作内容とその変更操作時の時刻とを関連付けした履歴である。この時刻は一日のうちの決まった時刻（デイリー）であってもよいし、一週間のうちの曜日（ウィークリー）であってもよい。そのための電子装置内部の時計が示す時刻が好ましい。また、例えば、毎週の決まった特定曜日に第１の輝度変更が行われ、他の曜日に第２の輝度変更が行われる場合では、その曜日に合わせて輝度が自動変更されるようにしてもよい。
【００１２】
本発明では、ユーザが或る時刻では表示画面が見づらくなったので輝度調整した場合、次回からはその輝度調整が行われた時刻になれば、表示画面の輝度が自動変更され、ユーザは表示画面を見やすい状態で見ることができるようになる。よって、本発明では、次回以降は、手動で輝度調整する必要がなくなり、またセンサ等で一律に輝度調整するのではないから、ユーザ個々にとり最適な輝度で表示画面を見ることができる。
【００１３】
好ましくは、上記輝度操作履歴をリセットまたは更新可能とすることである。
【００１４】
好ましくは、上記常駐アプリケーションは、輝度調整が行われた使用環境の情報を関連付けて記憶させる処理を行い、上記情報の入力操作により上記情報対応の輝度調整内容で表示画面の輝度を自動変更させる処理を行うことである。
【００１５】
この態様では、使用環境が同一であれば、同一時刻になると、輝度が自動変更されるので都合がよいが、使用環境が相違すれば、同一時刻でも好ましい輝度が相違してくることが考えられる。このような場合、使用環境と関連付けて輝度調整内容を記憶しておけば、或る使用環境で同一時刻での必要とする輝度と、別の使用環境で同一時刻で必要とする輝度とをそれぞれに自動変更され、ユーザにとり、使い勝手も優れたものとなる。
【発明の効果】
【００１６】
本発明によれば、表示画面の輝度を自動的にユーザが個別に好ましい感じる輝度に自動調整され、使用勝手に優れたパネルコンピュータを提供することができる。
【発明を実施するための最良の形態】
【００１７】
以下、添付した図面を参照して、本発明の実施の形態に係る表示画面付き電子装置を説明する。実施の形態では表示画面付き電子装置としてパネルコンピュータに適用する。図１にパネルコンピュータの概略構成を示す。図１において、１はＣＰＵ、２は操作部、３はデータベース、４は時計部、５は記憶部、６は輝度調整部、７はＬＣＤ（液晶表示装置）、８はタッチパネルである。
【００１８】
操作部２は、輝度調整操作、パネルコンピュータの使用環境情報の入力操作、履歴情報のリセット操作、等を行うことができるようになっている。操作部２は、ハードウエアボタンで構成することができる。操作部２は、タッチパネル８とは別構成として図１に示されているが、タッチパネル８で構成してもよい。
【００１９】
データベース３には、輝度変更の操作履歴が記憶されている。
【００２０】
時計部４は、コンピュータ内部の時計であり、特に限定しないが、実施の形態では一日における時刻情報を提供するものである。
【００２１】
記憶部５は、パネルコンピュータ用ＯＳ（パネルコンピュータ全体を管理する基本ソフトウエア：Ｗｉｎｄｏｗｓ、Ｌｉｎｕｘ、μＩＴＲＯＮ、等）、制御用ソフトウエア、各種アプリケーションのソフトウエア、データ等の格納に用いると共に、ＣＰＵ１の作業、その他に用いる。この記憶部５としては、ＲＡＭ、ＲＯＭ、フラッシュＲＯＭなどがある。
【００２２】
記憶部５に記憶されるアプリケーションには、実施の形態が特徴とする輝度変更操作記憶処理と輝度自動変更処理とを実行するアプリケーションがある。前者のアプリケーションは、輝度変更の内容と輝度変更時刻とを関連させ輝度変更操作履歴として記憶させる処理（以下、輝度変更操作履歴記憶処理という）を行うためのものであり、後者のアプリケーションは、液晶表示画面輝度を輝度変更操作履歴に従って自動変更させる処理（以下、輝度自動変更処理という）を行うためのものである。そしてこれら処理のためのアプリケーションはパネルコンピュータで常駐されており、電源起動と同時に実行されるようになっている。
【００２３】
輝度調整部６はＣＰＵ１により制御されてＬＣＤ７の輝度を変更する。
【００２４】
ＬＣＤ７は、バックライトと液晶表示画面とを含めた液晶表示装置であり、ＬＣＤ７の輝度変更とはこの液晶表示画面を照明するバックライトの輝度変更のことである。ＣＰＵ１によりＬＣＤ７は制御される。
【００２５】
タッチパネル８は液晶表示画面上に配置されてユーザの手指等による直接操作を可能としたものであり、特に詳細することを略する。タッチパネル８の操作はＣＰＵ１に入力され、ＬＣＤ７にその操作に対応した画像が表示される一方、タッチパネル８の操作に対応した動作が行われる。
【００２６】
図２を参照して電源起動した後、ステップｎ１で、ユーザによる操作部２を通じての操作によりＬＣＤ７の輝度が変更される。この変更した輝度はユーザにとり表示画面が周囲環境の明るさに合わせて見やすいとされる輝度である。
【００２７】
ステップｎ２で、ＣＰＵ１は、上記操作部２の操作入力から、輝度調整部６を制御してＬＣＤ７の輝度を変更する。
【００２８】
ステップｎ３で、ＣＰＵ１は、ＬＣＤ７の起動変更操作時刻情報を時計部４から入手すると共に、ステップｎ４で、データベース３には輝度変更操作の内容と輝度変更操作が行われた時刻とを関連付けし、ステップｎ５で、それを輝度変更操作履歴としてデータベース３に記憶させる。
【００２９】
以上のステップｎ１からｎ５までの輝度変更操作履歴記憶処理は上記したように常駐アプリケーションにより行われるようになっている。
【００３０】
このＬＣＤ７の輝度変更操作時刻は、年月日、季節、一日でも午前、午後、深夜などさまざまである。実施の形態では１日２４時間とし、例えば、１日のうち、輝度変更操作された時刻が午前７時、午後１時、午後５時の３回であったと仮定する。そうすると、ＣＰＵ１は、輝度変更が午前７時−午後１時までの第１輝度、午後１時−午後５時までの第２輝度、午後５時から翌日午前７時までの第３輝度でそれぞれ行われたのでそれをデータベース３に記憶させる。そして、パネルコンピュータの電源が午前８時に入れられた場合、常駐アプリケーションが起動すると共に、ＣＰＵ１は時計部４の時刻情報が午前８時であり、データベース３からは、午前７時−午後１時までの第１輝度で輝度を制御し、時刻が進み、午後１時になると、ＣＰＵ１は、時計部４の時刻情報が午後１時であり、データベース３からは、午後１時−午後５時までの第２輝度で輝度を制御し、時刻が進み、午後５時になると、ＣＰＵ１は、時計部４の時刻情報が午後５時であり、データベース３からは、午後５時から翌日午前７時までの第３輝度で輝度を制御する。
【００３１】
次に、上記輝度調整は室内にパネルコンピュータが設置されていたが晴天での輝度調整であった。しかし、数日して曇りのため、以前の輝度変更では輝度不足であったのでユーザが例えば午前９時に輝度変更操作を行った場合、ＣＰＵ１は、データベース３の記憶内容をリセットして書き換えるなどの更新処理をする。すなわち、１日のうち、輝度変更操作された時刻が以前では午前７時、午後１時、午後５時の３回で、輝度変更が午前７時−午後１時までの第１輝度、午後１時−午後５時までの第２輝度、午後５時から翌日午前７時までの第３輝度でそれぞれ行われたが、次では、午前９時の輝度変更操作が加わり、都合４回となる。しかし、前回では晴天での調整であったのに対して、今回は曇りであり、ユーザはそれまでデータベース３に記憶されていた晴天時での履歴情報をリセットし、曇天時での輝度変更操作を行うことができる。このリセット操作を行うと、輝度は午前９時の１回のみとなり、１日２４時間この午前９時で行った輝度変更でＬＣＤ７を表示動作させる。そして、ユーザがまた、午後３時ごろに輝度変更を行うと、輝度変更は１日２回となり、午前９時−午後３時までの輝度と、午前３時から翌日午前９時までの輝度となる。この場合も、午後３時で行った輝度に合わせる場合は、再度、それまでデータベース３に記憶されていた履歴情報をリセットする操作を行うことができる。
【００３２】
以上において、さらに、ユーザは、図３で示すように、ステップｎ６で、パネルコンピュータの使用環境情報を操作部２の操作を通じてＣＰＵ１に入力することができる。この使用環境情報は、例えば、室内、室外、晴天、曇天、などの情報であり、ステップｎ７で、ＣＰＵ１は、操作部２の操作を通じて、輝度変更操作が行われた使用環境情報とそのときの輝度変更操作とをデータベース３に記憶させる。操作部２にはそのような使用環境情報を直接入力できる操作スイッチを設け、その操作スイッチの操作情報を使用環境情報としてＣＰＵ１に入力させる形式としてもよいし、タッチパネル８から入力させる形式でもよい。そして、ＣＰＵ１は使用環境情報とその情報に対応した輝度変更操作情報とを関連付けしてデータベース３に記憶させる。
【００３３】
例えば、ユーザのパネルコンピュータの常時使用環境が室内であり、その室内での輝度変更操作が上記のように行われた場合、また、使用環境が室外であり、その室外での輝度変更操作が上記のように行われた場合、それぞれ、輝度変更操作の内容は相違してくる。そこで、パネルコンピュータに使用環境情報を入力できる簡単な操作部２を設けておけば、使用環境情報をユーザがその操作部２の操作で選択すると、ＣＰＵ１は、データベース３からその使用環境情報に見合う輝度とその使用環境での時刻とに対応した輝度履歴を読み出し、ＬＣＤ７の輝度を調整することができる。
【００３４】
次に上記各ステップによる輝度変更操作履歴記憶処理でデータベース３に輝度変更操作履歴が記憶されるので、次にパネルコンピュータの電源を入れると、図４で示すように、ステップｎ８で、ＣＰＵ１は、記憶部５に記憶してある常駐アプリケーションを自動実行し、データベース３から輝度変更操作履歴を読み出し、その履歴に従い、輝度調整部６を制御してＬＣＤ７の輝度を自動変更する。
【００３５】
以上説明したように本実施の形態では、輝度調整操作内容とその輝度調整が行われたコンピュータ内部時計での輝度調整操作時刻とを関連して輝度操作履歴として記憶する処理と、上記表示画面の輝度を上記記憶してある輝度操作履歴に従い自動変更する処理と、を実行するソフトウエアを常駐させてあるので、ユーザが或る時刻で表示画面が見づらくなったので輝度調整した場合、次回からはその輝度調整が行われた時刻になれば、表示画面の輝度が自動変更されて、ユーザにとり見やすい表示画面になる。よって、本発明では、一度、輝度変更操作すれば、次の電源起動以降は、手動で輝度調整する必要がなくなり、またセンサ等で一律に輝度調整するのではないから、ユーザ個々にとり最適な輝度で表示画面を見ることができる。
【００３６】
なお、１台のパネルコンピュータを複数のユーザが共用する場合では、ユーザごとに行われた輝度調整を記憶しておき、ユーザごとに対応して輝度調整が自動的に行われるようにしてもよい。
【図面の簡単な説明】
【００３７】
【図１】図１は本発明の実施の形態によるパネルコンピュータの概略構成を示す図である。
【図２】図２は常駐アプリケーションにより輝度変更操作と時刻とを関連付けする履歴記憶処理を示すフローチャートである。
【図３】図３は常駐アプリケーションによる輝度変更操作と使用環境とを関連付けする履歴記憶処理を示すフローチャートである。
【図４】図４は常駐アプリケーションによる輝度自動調整処理を示すフローチャートである。
【符号の説明】
【００３８】
１  ＣＰＵ
２  操作部
３  データベース
４  時計部
５  記憶部
６  輝度調整部
７  ＬＣＤ
【図１】
2010107805.tif 000003
【図２】
2010107805.tif 000004
【図３】
2010107805.tif 000005
【図４】
2010107805.tif 000006